【手続補正書】
【提出日】平成26年5月16日(2014.5.16)
【手続補正１】
【補正対象書類名】特許請求の範囲
【補正対象項目名】全文
【補正方法】変更
【補正の内容】
【特許請求の範囲】
【請求項１】
歯の表面を含むターゲットである口腔内生物学的バリアと、磁気リターンによって連結された変位した双極磁気エレメントの１対または複数対を含む磁気デバイスとの間に、活性薬剤を適用するステップを含み、ここで、前記磁気リターンが前記歯の表面より遠位側の双極子対の表面において配向しており、
各々の磁極の磁束が約１０ガウス〜１０００ガウスの間であり、特定の空間領域における前記極が１．０ｍｍ〜５．０ｍｍ離れている、
反磁性反発によって、ビヒクル、ゲルまたは溶媒中からの口腔ケア活性薬剤の拡散が促進された、口腔ケア活性薬剤を歯の表面に送達する方法。
【請求項２】
活性薬剤が磁力源から離れる反磁性反発を増大させることによって、口腔ケア活性薬剤のビヒクル、ゲルまたは溶媒の中から外への運動性を増大させる磁気デバイスの使用であって、前記磁気デバイスが、磁気リターンによって連結された変位した双極磁気エレメントの１対または複数対を含み、前記活性薬剤が、歯の表面を含むターゲットである口腔内生物学的バリアと前記磁気デバイスとの間に適用され、前記磁気リターンが前記歯の表面より遠位側の双極子対の表面において配向しており、各々の磁極の磁束が約１０ガウス〜１０００ガウスの間であり、特定の空間領域における前記極が１．０ｍｍ〜５．０ｍｍ離れている、使用。
【請求項３】
活性薬剤が磁力源から離れる反磁性反発を増大させることによって、口腔ケア活性薬剤のビヒクル、ゲルまたは溶媒の中から外への運動性を増大させる方法であって、
ａ）前記活性薬剤を、歯の表面を含む口腔内生物学的バリアと、磁気リターンによって連結された変位した双極磁気エレメントの１対または複数対を含む磁気デバイスとの間に適用するステップ
を含み、ここで、前記磁気リターンが前記歯の表面より遠位側の双極子対の表面において配向しており、各々の磁極の磁束が約１０ガウス〜１０００ガウスの間であり、特定の空間領域における前記極が１．０ｍｍ〜５．０ｍｍ離れている、方法。
【請求項４】
対象の歯の表面を含む口腔内生物学的バリアの治療における使用のための口腔ケア活性薬剤および前記口腔ケア活性薬剤を内包するビヒクル、ゲルまたは溶媒であって、前記治療が、磁気リターンによって連結された変位した双極磁気エレメントの１対または複数対を含む磁気デバイスによって拡散送達が促進される反磁性反発によって、前記活性薬剤の促進された送達のために提供され、前記磁気リターンが、前記活性薬剤が送達されるべき前記歯の表面より遠位側の双極子対の表面において配向しており、各々の磁極の磁束が約１０ガウス〜１０００ガウスの間であり、特定の空間領域における前記極が１．０ｍｍ〜５．０ｍｍ離れている、口腔ケア活性薬剤および前記口腔ケア活性薬剤を内包するビヒクル、ゲルまたは溶媒。
【請求項５】
歯の表面を含む口腔内生物学的バリアに口腔ケア活性薬剤を適用するために使用する口腔ケアキットであって、
口腔ケア活性薬剤と、
磁気リターンによって連結された変位した双極磁気エレメントの１対または複数対を含む磁気デバイスと、ここで、前記磁気リターンが前記歯の表面より遠位側の双極子対の表面において配向しており、各々の磁極の磁束が約１０ガウス〜１０００ガウスの間であり、特定の空間領域における前記極が１．０ｍｍ〜５．０ｍｍ離れている、
を含む、キット。
【請求項６】
前記磁気デバイスが、磁気リターンによって連結された変位した双極磁気エレメントの少なくとも２組の対を含み、ここで、前記磁気リターンが歯の表面より遠位側の双極子対の表面において配向しており、変位した双極磁気エレメントの第１の組の配列が変位した双極磁気エレメントの第２の組の配列に対して角度的にオフセットしている、請求項１または３に記載の方法、請求項２に記載の使用、請求項４における使用のための口腔ケア活性薬剤、または請求項５に記載のキット。
【請求項７】
前記磁気デバイスが、往復または回転方式で移動され、それにより前記デバイスに近接した活性薬剤が前記往復または回転移動に応答して磁場の交互極性および交互磁力勾配に影響されることになる、請求項１または３に記載の方法、請求項２に記載の使用、請求項４における使用のための口腔ケア活性薬剤、または請求項５に記載のキット。
【請求項８】
前記磁気デバイスが、歯の表面の上で磁気デバイスを移動させるための電子的または機械的手段を含む、請求項７に記載の方法、使用、使用のための口腔ケア活性薬剤、またはキット。
【請求項９】
ａ）前記磁気デバイスの移動が約１Ｈｚ〜５Ｈｚの振動周波数を有し、磁石アレイの各々の要素によって発生する磁場の強度が約１００〜５００ガウスの間である、または、
ｂ）前記磁気デバイスの移動が約１００〜８，０００Ｈｚの振動周波数を有し、磁石アレイの各々の要素によって発生する磁場の強度が約１００〜１０００ガウスの間である、
請求項７に記載の方法、使用、使用のための口腔ケア活性薬剤、またはキット。
【請求項１０】
ａ）変位した双極磁気エレメントの各々の対が、１〜１０ｍｍの間の中心間に水平なオフセットを有する、および／または、
ｂ）変位した双極磁気エレメントの各々の対が１ｃｍあたり２〜１０双極対の繰り返し割合で配置される、および／または、
ｃ）前記各々の磁極の磁束が約１２５〜４５０ガウスの間である、および／または、
ｄ）反対極性の２つの隣接した極の磁束の間のデルタ磁束が約１００ガウス〜２０００ガウスの間である、
請求項１または３に記載の方法、請求項２に記載の使用、請求項４における使用のための口腔ケア活性薬剤、または請求項５に記載のキット。
【請求項１１】
前記双極対の第１の組の配向が前記双極子対の第２の組に対して約１°〜９０°である、請求項６に記載の方法、使用、使用のための口腔ケア活性薬剤、またはキット。
【請求項１２】
前記双極対の第１の組の配向が前記双極子対の第２の組に対して少なくとも４５°である、請求項１１に記載の方法、使用、使用のための口腔ケア活性薬剤、またはキット。
【請求項１３】
前記デバイスが、ブラシ、パッド、マウスガード、歯科スプリント、ローラーアプリケータまたはペンデバイスの１つの形態である、請求項１または３に記載の方法、請求項２に記載の使用、請求項４における使用のための口腔ケア活性薬剤、または請求項５に記載のキット。
【請求項１４】
前記活性薬剤が、
ａ）前記磁気デバイスの適用の前に歯の表面に適用される、または、
ｂ）前記磁気デバイスの歯の表面への適用の前に磁気デバイスに適用される、
請求項１または３に記載の方法、請求項２に記載の使用、請求項４における使用のための口腔ケア活性薬剤、または請求項５に記載のキット。
【請求項１５】
前記活性薬剤が、齲蝕低減または予防剤および／または再ミネラル化剤：フッ化ナトリウム、モノフルオロリン酸ナトリウム、フッ化スズ、過負荷フッ化物送達成分（リン酸二カルシウム二水塩等）の形態のフッ化物、ペプチド、カルシウム、リン酸塩、キシリトール；歯の白化剤または漂白剤：過酸化カルバミドまたは過酸化水素等の過酸化物、過酸化尿素、過炭酸ナトリウム、およびＰＶＰ−Ｈ２Ｏ２、酵素、その他；抗歯石／抗結石剤および抗汚染剤：エチルラウロイルアルギニンＨＣｌ等の抗付着剤、ピロリン酸四ナトリウム等のピロリン酸塩、ポリリン酸塩、ポリビニルホスホン酸、ＰＶＭ／ＭＡコポリマー、歯垢破壊のために用いられるもの等の酵素、アニオン性ポリマー、特にカルボキシレート基官能化ポリマー、クエン酸亜鉛等の亜鉛塩等の金属イオン；および／または歯の過敏症の低減剤：硝酸カリウム等のカリウム塩、塩化ストロンチウム等のストロンチウム塩、フッ化スズ、ケイ酸ナトリウム、生理活性ガラス、ポリマーから選択される、請求項１または３に記載の方法、請求項２に記載の使用、請求項４における使用のための口腔ケア活性薬剤、または請求項５に記載のキット。